(57)【要約】  芝生のグラウンド（１００）および周囲を囲む観客席（３）を備えるスポーツ競技場（１）。芝生のグラウンド（１００）は固定支持台（１０５）上に支持された複数の芝生モジュール（１０１）を含む。芝生モジュールは固定支持台上を移動可能であり、従って、固定支持台から撤去可能である。固定支持台（１０５）は、固定支持台（１０５）の下の保管室（１０７）への入り口を構成する開口部（１１１）を備える。保管室は芝生モジュールの保管のために適合されている。昇降機（１１５）は開口部（１１１）を通して芝生モジュールを移動するよう配置される。また、関連する方法も記載される。【選択図】図１
2014520979.tif 000002
【特許請求の範囲】
【請求項１】
芝生のグラウンド（１００）および周囲を囲む観客席（３）を備えるスポーツ競技場（１）であって、前記芝生のグラウンド（１００）は固定支持台（１０５）上に支持された複数の芝生モジュール（１０１）を含み、前記芝生モジュールは前記固定支持台上を移動可能であり、従って、前記固定支持台から撤去可能であり、
−前記固定支持台（１０５）は、前記固定支持台（１０５）の下の保管室（１０７）への入り口を構成する開口部（１１１）を備え、前記保管室は前記芝生モジュール（１０１）の保管のために適合されており、
−昇降機（１１５）は前記開口部（１１１）を通して前記芝生モジュールを移動するよう配置される
ことを特徴とするスポーツ競技場。
【請求項２】
前記開口部（１１１）に撤去可能なように固定されるように適合された開口部支持台（１１３）を含むことを特徴とする請求項１に記載のスポーツ競技場。
【請求項３】
前記昇降機（１１５）が、それぞれが芝生モジュール（１０１）を収容するように適合された２つ以上のモジュール棚（１２５）を有する昇降部（１２３）を含むことを特徴とする請求項１あるいは２に記載のスポーツ競技場。
【請求項４】
前記芝生モジュール（１０１）が、隣接する芝生モジュール同士を着脱可能なように固定する噛み合わせ機構（１４５，１４７）を備えることを特徴とする請求項１から３のいずれか一項に記載のスポーツ競技場。
【請求項５】
最も大きな前記芝生モジュール（１０１）が、３０ｍ２を超える面積を備えることを特徴とする請求項１から４のいずれか一項に記載のスポーツ競技場。
【請求項６】
前記芝生のグラウンド（１００）が１００個未満の前記芝生の（１０１）を含むことを特徴とする請求項１から５のいずれか一項に記載のスポーツ競技場。
【請求項７】
前記昇降機（１１５）が前記開口部（１１１）の下に配置され、前記保管室（１０７）の複数のモジュール保管棚（１１７）が、前記昇降機（１１５）の垂直昇降経路に隣接して縦列配置されることを特徴とする請求項１から６のいずれか一項に記載のスポーツ競技場。
【請求項８】
前記開口部（１１１）が、周囲を囲む前記観客席（３）から少なくとも芝生モジュール（１０１）１つ分の距離を空けて配置されることを特徴とする請求項１から７のいずれか一項に記載のスポーツ競技場。
【請求項９】
前記芝生モジュール（１０１）が、前記芝生モジュール（１０１）から見て上下に動くように適合された車輪の組（１２７）を含み、それにより前記固定支持台（１０５）上での前記芝生モジュールの移動が可能となることを特徴とする請求項１から８のいずれか一項に記載のスポーツ競技場。
【請求項１０】
前記保管室（１０７）が、芝の生長に適した人工照明を含むことを特徴とする請求項１から９のいずれか一項に記載のスポーツ競技場。
【請求項１１】
スポーツ競技場（１）の芝生のグラウンド（１００）を撤去する方法であって、前記芝生のグラウンド（１００）は観客席（３）に囲まれており、前記芝生のグラウンド（１００）は、ともに組み立てられて前記芝生のグラウンド（１００）を構成する複数の芝生モジュール（１０１）を含み、前記方法が、
ａ）前記芝生モジュール（１０１）を昇降機（１１５）により固定支持台（１０５）の開口部（１１１）を通して前記固定支持台の下の保管室（１０７）へと移動することと、
ｂ）前記開口部（１１１）に開口部支持台（１１３）を配置することと、
を含むことを特徴とする方法。
【請求項１２】
スポーツ競技場（１）の芝生のグラウンド（１００）を冬季の低温から保護する方法であって、前記方法が、
ａ）複数の芝生モジュール（１０１）を固定支持台（１０５）の開口部を通して前記固定支持台の下の保管室（１０７）へ移動することと、
ｂ）前記保管室（１０７）内の温度を前記低温よりも高く維持することと、
ｃ）芝生モジュールに光および水を与えることと、
を含むことを特徴とする方法。
【発明の詳細な説明】
【技術分野】
【０００１】
本発明は、人工芝あるいは天然芝のグラウンドなどの、芝生のグラウンドを有するスポーツ競技場に関する。詳細には、本発明は、観客席などの隣接する競技場の構成要素を乱すことなく短時間で、芝生が撤去可能である、および／または芝生を再び組み立てられるような競技場に関する。また、本発明は、前記スポーツ競技場を使用する関連方法にも関する。
【背景技術】
【０００２】
近年のスポーツ競技場は建設および維持のコストが高い。それゆえ、コストに見合うよう、スポーツ競技場をできるだけ頻繁に使用することは、所有者にとって大きな関心事である。例えば、サッカーチームのホームグラウンドはシーズン期間には一般に２週間に一回スポーツに使用され、シーズン期間外では使用される頻度が少ない。さらに、一般にはカップ戦など他の試合がいくらかある。結果として、競技場は大半の期間に渡って使用されないままとなる。この数十年において、このような競技場は大規模なコンサートなどの文化的イベントにも使用され始めている。このようなイベントは、競技場の所有者にとって重要な所得となる。
【０００３】
しかし、大規模なコンサートを天然芝のグラウンドで行えば、芝が破壊されるか、または破壊される可能性がある。芝生を保護する手段がしばしば用いられるが、常に十分であるとは限らない。さらに、このような保護手段は、取り付けや撤去に時間がかかる。結果として、競技場の所有者は、スポーツのイベントと文化的イベントの間で競技場の様式を短期間で切り替えることができない。競技場の所有者には、スポーツのイベントのために良質な芝生を提供する義務があり、そのせいで、他の文化的イベントに使用可能な日取りを提供することが難しくなっている。
【０００４】
この問題は数十年間続いており、これを解消する公知の解決策がいくつか提案されている。グラウンドを保護するか、あるいは覆うことを考慮する解決策もあれば、元の場所で保護する代わりにグラウンドを撤去することを伴う解決策もある。
【０００５】
１９８０年のドイツ国公開特許公報第２９２４９０４号は、アイスフィールドを覆うように適合された床モジュールから構成される床について記載している。床モジュールは、氷から取り外され、天井の下に保管される板である。したがって、床モジュールは、アイスフィールドが使用されない場合に氷を保護する。
【０００６】
欧州特許出願公開第１５００４１６号は、既存のグラウンドの保護に適した別の方法について記載しており、排水溝に配置されたローラーに巻き付けられたシートカバーについて記載している。芝生のグラウンドを保護するため、カバーが展開され、グラウンドの上にかぶせられる。
【０００７】
Ｔｕｒｆｇｒａｓｓ  Ｂｕｌｌｅｔｉｎの２００１年１０月号（第２１４号）は、移動可能な芝生モジュールから構成される競技場についての記事を掲載している。このモジュールはそれぞれ約１〜２ｍ２であり、通常のフォークリフトによって競技場から移動される。芝生モジュールの下には、コンクリートの床など、固定支持台が存在する。
【０００８】
このようなシステムは英国特許出願公開第２１３８６９０号にも記載されており、偏摩耗を促進する、あるいは芝生の均等化を促進するために、個々のモジュールをどのようにしてアリーナ内から移動するか、あるいは予備のユニットから交換できるかについて記載している。
【０００９】
芝生のグラウンドを覆うことを含む解決方法には、長期間覆う場合に芝生の質が低下するという問題がある。さらに、たとえプレートやシートカバーに覆われていても、コンサートのようなイベントでは、舞台や運搬車、およびカメラ／音響装置などの全ての関連機器や観客により、芝生が物理的に損傷するおそれがある。
【００１０】
芝生の撤去を含む解決方法には、膨大な数の芝生モジュールを撤去することは煩雑であり、時間がかかるという欠点がある。さらに、競技場外あるいは競技場の建物内のいずれかに芝生モジュールの保管場所が必要となる。後者は事務所の建物、ショップ、ＶＩＰルームなどのための貴重な場所である。したがって、この方法は望ましい解決方法ではない。
【発明の概要】
【発明が解決しようとする課題】
【００１１】
本発明の目的は、先行技術に係る解決方法の欠点を改善する解決方法を提供することにある。詳細には、本発明の目的は、芝生のグラウンドを短時間で撤去することと、および芝生のグラウンドを短時間で再構築することをも可能にする、解決方法を提供することにある。
【００１２】
本発明の第一の態様によれば、芝生のグラウンドおよび周囲を取り囲む観客席を備えるスポーツ競技場が供される。芝生のグラウンドは、固定支持台に支えられた複数の芝生モジュールを含む。芝生モジュールは固定支持台上で移動可能であり、従って、固定支持台から撤去可能である。本発明によれば、固定支持台は、その下の保管室への入り口を構成する開口部を備える。保管室は芝生モジュールの保管のために適合されている。さらに、開口部を通じて芝生モジュールを移動させるために昇降機が配置される。
【００１３】
本明細書において、スポーツ競技場とは、フットボール（サッカー）あるいはアメリカンフットボールなどのスポーツが定期的に行われる場所を指す。本発明によれば、このようなスポーツ競技場は、部分的あるいは完全に観客席に囲まれている競技場である。好ましくは、実質的に長方形の芝生のグラウンドの四方のうち少なくとも三方が観客席となっている。さらに一層好ましくは、このような芝生のグラウンドの四方全てが観客席となっている。このような芝生のグラウンドの長方形の辺に対して平行に広がる観客席同士が交差する部分もまた、有利に観客席に供されてもよい。また、芝生のグラウンドは、長方形ではなくてもよい。
【００１４】
芝生のグラウンドは、天然芝あるいは人工芝を含んでもよい。
【００１５】
本発明によれば、固定支持台には開口部が配置されている。有利には、開口部は芝生のグラウンドの領域に配置されており、従って、芝生のグラウンドの使用時にはスポーツグラウンドあるいは競技場の一部となっている。このような好適な実施形態において、芝生のグラウンドの使用中には開口部は閉じている、および１つ以上の芝生モジュールに覆われてもいる。
【００１６】
固定支持台は平面であり、例えば、コンクリートおよび／あるいはアスファルトを含む。
【００１７】
好ましくは、本発明に係るスポーツ競技場は、開口部において撤去可能なように固定されるように適合された開口支持台を含む。しかしながら、このような開口支持台を備えない実施形態を想定することも可能である。このような実施形態において、芝生モジュールを開口部の位置に維持するために昇降機が配置され得る。
【００１８】
昇降機は、各々が１つ以上の芝生モジュールを収容するように適合されたモジュール棚を、１つではなく２つ以上有する昇降部を含む。１つの実施形態において、モジュール棚は実質的に同一の平面／水平面において互いに隣接して水平に配置され得る。別の実施形態において棚は上下に重ね合わせて配置され得、結果として開口部はより小さくて済むようになる。開口部を通じて芝生モジュールを持ち上げるように適合された１つ以上の昇降機を想定することも可能である。例えば、２つあるいは３つあるいはさらに多くの昇降機を開口部に伴って配置してもよい。
【００１９】
芝生モジュールは有利には、隣接する芝生モジュールを着脱可能なようにしっかりと組み合わせる噛み合わせ機構を備え得る。このような機構は、芝生モジュール間に隙間が生じないように、モジュールを相互に正しい位置にとどめることを保証する。１つの実施形態において、噛み合わせ機構は、芝生モジュールが互いに接する状態を維持する、スライドする噛み合わせ用の傾斜面を備え得る。
【００２０】
好ましくは、最も大きな芝生モジュールは、３０ｍ２を超える芝生の面積を備える。好ましくは、芝生の面積は１００ｍ２を超える。さらに、有利には、芝生のグラウンドは全体で１００個未満の芝生モジュールを含み得る。芝生モジュールの数が少なければ、芝生のグラウンドを組み立てる、あるいは解体するのに必要な時間は減少する。さらに、芝生モジュール間の接合面の総数が減少し、芝生のグラウンドはより均一になる。
【００２１】
好ましくは、昇降機が水平移動を必要としないように、昇降機は開口部の下に配置される。さらに、保管室の複数のモジュール保管棚は、昇降機の垂直昇降経路に隣接して縦列配置され得る。その結果、保管室のモジュール保管棚への、あるいは棚からの芝生モジュールの輸送には、芝生モジュールの、モジュール保管棚と昇降機の間の水平移動のみが必要となる。
【００２２】
有利には、開口部は周囲を囲む観客席から少なくとも芝生モジュール１つ分の距離を空けて配置され得る。すなわち、この実施形態において、少なくとも１列の芝生モジュールが、開口部の列と、芝生のグラウンドのエンドラインの間に配置される。開口部の列は、開口部に跨る芝生モジュールの列である。芝生のグラウンドを組み立てるために芝生モジュールを取り付ける際、保管室から昇降機によって最後に運び出される芝生モジュールの列は、この開口部の列となる。これらの最後の芝生モジュールを昇降機が持ち上げ、開口部を通せるように、隣接する芝生モジュールは既に取り付けられた芝生モジュールとの衝突を避けるため、開口部から一定距離を空けて配置されなければならない。それ故、最後に上昇する列（開口部の列）は上昇すると、隣接する列に接するように移動させられる。その後、開口部の列と前記エンドラインの間の列が開口部の列と接するように後から移動し、芝生のグラウンドが完成する。この結果として、端の列が残りの列と接するよう最後に移動できるように、固定支持台はこの領域において芝生のグラウンドを超えて広がっている必要がある。
【００２３】
固定支持台などの平面上を芝生モジュールが移動できるように、芝生モジュールは、芝生モジュールから見て上下に動くように適合された車輪の組を含み得る。別の実施形態において、芝生モジュールは、加圧した空気の供給により作動するエアクッションの組を含む。
【００２４】
１つの実施形態において保管室は、芝の生長に適した人工照明を含み得る。好ましくは、保管室はまた、芝へ水を与えるように適合された灌水設備をも含み得る。それ故、光と水の組み合わせにより、使用者は保管室内において制御可能な条件下で芝生の維持が可能である。例えば、冬の時期などの寒冷な天候の間、使用者は芝を保管室内の暖められた環境下で保管できる。温度の制御、芝への給水および芝へ栄養を与えることにより、使用者は天然芝の芝生の生長率を広い範囲で調節できる。
【００２５】
本発明の第二の態様によれば、スポーツ競技場の芝生のグラウンドを撤去する方法が提供される。芝生のグラウンドは観客席に囲まれる。さらに、芝生のグラウンドは、共に組み立てられ、芝生のグラウンドを構成する複数の芝生モジュールを含む。本発明の第二の態様によれば、前記方法は、
ａ）昇降機により芝生モジュールを固定支持台の開口部を通して前記固定支持台の下の保管室へ移動することと、
ｂ）開口部に開口部支持台を配置することと、
を含む。
【００２６】
１つの実施形態において、開口部支持台は、開口部周囲の固定支持台と平面を成すように、開口部の所定の位置に固定され得る剛直な平面要素であってもよい。昇降部が開口部支持台を成し、および開口部を充填し、および開口部周囲の隣接する固定支持台と平面を成すような高さに、昇降機を配置してもよい。このような実施形態において、専用の開口部支持台は必要とされない。
【００２７】
本発明の第三の態様によれば、スポーツ競技場の芝生のグラウンドを冬季の低温から保護する方法が提供される。前記方法は、
ａ）複数の芝生モジュールを固定支持台の開口部を通して前記固定支持台の下の保管室へ移動することと、
ｂ）保管室内の温度を前記低温よりも高く維持することと、
ｃ）芝生モジュールに光および水を与えることと、
を含む。
【００２８】
本発明の第一の態様に関連して説明される様々な特徴および実施形態はまた、本発明の第二および第三の態様に適用されてもよいことを、当業者であれば認識する。
【００２９】
本発明の様々な態様の一部の実施形態において、昇降機を１つではなく、複数、例えば２つあるいは３つ、利用してもよい。昇降機は互いに隣り合って、好ましくは開口部の下に、配置されてもよい。この方法では、より多くの昇降機が同時に稼働でき、開口部を通じた芝生モジュールの輸送をより迅速に行うことが可能である。このように昇降機が複数あれば、さらに、故障した昇降機によるマイナス効果が低減する。
【図面の簡単な説明】
【００３０】
【図１】複数の芝生モジュールを含む芝生のグラウンドを含む、本発明に係るスポーツ競技場の原理的な斜視図。
【図２】図１に示されるスポーツ競技場の縦断面図。
【図３】保管室、昇降機、および芝生のグラウンドの一部の縦断面図。
【図４】保管室、３つのモジュール棚を有する昇降機、および芝生のグラウンドの一部の縦断面図。
【図５】保管室に芝生モジュールが保管されている場合の図４の縦断面図。
【図６】昇降機が高い位置にあり、芝生モジュールが輸送状態にある場合の図４の縦断面図。
【図７】芝生モジュールを保管室内の保管位置に移動している場合の図４の縦断面図。
【図８】昇降機が最も高い位置にあり、保管室に輸送するためにさらなる芝生モジュールを回収している過程にある場合の図４の縦断面図。
【図９】昇降機が２つ目の芝生モジュールを回収している場合の図４の縦断面図。
【図１０】芝生モジュールが全て保管室内に置かれ、撤去可能な開口部支持台が固定支持台に同じ高さとなるように固定された状態である場合の図４の縦断面図。
【図１１】下に降りて輸送時の配置となっている車輪の組を有する芝生モジュールの一部の原理的な側面図。
【図１２】車輪の組が上昇して非輸送時の配置となっている図１１に対応する図。
【図１３】芝生モジュールの移動を容易にするように配置されたエアクッションの組を有する芝生モジュールの一部の原理的な側面図。
【図１４】エアクッション非使用時の図１３に対応する図。
【図１５】芝生モジュールおよび芝生モジュールを移動するように配置されたモジュール運搬車の原理的な側面図。
【図１６】２つの芝生モジュールを相互に接続する３つの段階および噛み合わせ機構を示す。
【発明を実施するための形態】
【００３１】
本発明は上記で一般的な文言により説明したが、実施形態のより詳細な例を図面の参照とともに以下に示す。
【００３２】
図１は、本発明に係るスポーツ競技場１の実施形態を示す。スポーツ競技場１は芝生のグラウンド１００および周囲を囲む観客席３を有する。芝生のグラウンド１００は複数の芝生モジュール１０１から構成される。この実施形態において、芝生のグラウンド１００は５４（６×９）個の芝生モジュール１０１を有する。芝生モジュール１０１の一部は、隣接する芝生モジュールのグラウンドの線１０３とともにサッカーグラウンド全体のグラウンドの線を成す、グラウンドの線１０３を有する。
【００３３】
図２は、図１のスポーツ競技場の断面の側面図を示す。芝生モジュール１０１は、芝生のグラウンド１００の面積よりも多少大きい面積を有する固定支持台１０５上に支持される。固定支持台１０５の下には、保管室１０７が配置される。保管室１０７は芝生モジュール１０１を保管するために適合されている。これについてはさらに以下で説明する。
【００３４】
保管室１０７は昇降機を支持するよう配置された昇降機支持台１０９を備える。保管室１０７の昇降機支持台１０９の上方では、固定支持台１０５が開口部１１１を備える。開口部１１１は、芝生モジュール１０１が水平配置をとりながら、すなわちその向きを変えることなく通過できるような大きさである。一部の実施形態において、開口部１１１は、例えば２つあるいは３つあるいはさらに多くの、隣接して配置された芝生モジュール１０１を通過させるのに十分なほど大きくてもよい。
【００３５】
図２はまた、開口部１１１に配置された撤去可能な開口部支持台１１３を示す。開口部支持台１１３は、開口部１１１を閉じるために開口部１１１において着脱可能なように固定支持台１０５に固定され得る。従って、開口部１１１に固定された開口部支持台１１３により、その上に載置されている１つ以上の芝生モジュール１０１を支持することが可能である。開口部１１１を完全に閉じる開口部支持台ではなく、支持台を完全には閉じないが、その上にある芝生モジュール１０１を支持できる、骨組みあるいは梁構造の形をとる開口部支持台を想定してもよい。開口部支持台および芝生モジュールが組み合わさった構成要素、すなわち開口部１１１に固定され得、その上に芝生を保持し、それにより芝生のグラウンド１００の一部を成す芝生モジュール、を想定してもよい。
【００３６】
図３は、固定支持台１０５の一部およびその下の保管室１０７の、拡大した断面の側面図を示す。保管室１０７の昇降機支持台１０９の上には、昇降機１１５が備えられる。この実施形態において、昇降機１１５はシザーリフト型である。昇降機１１５は例えば、油圧あるいは電気によって稼働され得る。昇降機１１５は芝生モジュール１０１を上に、あるいは下に運ぶように適合している。さらに、図３に示される通り、昇降機１１５は開口部支持台１１３を昇降するように適合している。
【００３７】
保管室１０７は昇降機１１５の隣に、複数のモジュール保管棚１１７を含む。さらに後述するように、芝生モジュール１０１は平面上で移動可能である。従って、昇降機１１５によって、モジュール１０１はモジュール保管棚１１７の隣に配置された後、昇降機１１５から棚１１７へと移動される。また、芝生モジュール１０１は、それを保管室１０７から開口部１１１を通して固定支持台１０５の上へと移動するために、モジュール保管棚１１７から昇降機１１５へと移動されてもよい。
【００３８】
また、図３には、開口部１１１の端に配置された開口部ロック１１９が示される。開口部ロック１１９は、開口部支持台１１３の開口部ロックの輪郭１２１の受け入れに連動するように適合された複数のボルトを含む。
【００３９】
図４は開口部支持台１１３が固定支持台１０５に固定され、固定支持台１０５と平面を成している場合を示す。この配置において、開口部ロック１１９のボルトは開口部支持台１１３の開口部ロックの輪郭１２１へと達する。この配置において、昇降機１１５はより低い高度まで降下し、開口部支持台１１３を開口部１１１の位置に残し得る。
【００４０】
図４は昇降機１１５の特定の実施形態を示す。この実施形態において、昇降機１１５は、それぞれが芝生モジュール１０１を収容するように適合された３つのモジュール棚１２５を備える昇降部１２３を有する。昇降部１２３が１つ以上のモジュール棚１２５を有することで、芝生のグラウンド１００の組み立てあるいは解体にかかる時間が短縮される。
【００４１】
図４および図５は同じ高さの位置にある昇降機１１５を示す。しかし、図５では芝生モジュール１０１が、固定支持台１０５の下の保管室１０７内のモジュール保管棚１１７の上に配置されているのが示されるのに対し、図４では芝生モジュール１０１は固定支持台１０５および開口部支持台１１３の上に配置されている。図５に示される場合、固定支持台１０５は開口部支持台１１３と共に、コンサートなど、多くの異なるイベントに適した平坦な土台を構成する。
【００４２】
図６および図７は、図４に対応する断面の側面図を示すが、芝生モジュール１０１が輸送状態となっている。この状態において、車輪の組１２７は芝生モジュール１０１の残った部分から見て下へと押し出されており、その結果、車輪１２７による芝生モジュール１０１の移動が可能となる。図７では、芝生モジュール１０１は開口部支持台１１３の表面から離れる過程にあり、モジュール保管棚１１７に入る。
【００４３】
図６では、昇降機１１５上の芝生モジュール１０１を両側の隣接する芝生モジュール１０１との接続からやや離すために、開口部１１１に隣接する１つの芝生モジュール１０１（図６中の右側のモジュール）が開口部１１１からわずかに離れている様子が示される。
【００４４】
図８では、最も高い位置にある昇降機１１５が示される。この配置において、芝生モジュール１０１は固定支持台１０５から昇降機１１５の昇降部１２３の最下部のモジュール棚１２５上へと移動する。
【００４５】
図９は、わずかに低い位置にある昇降機１１５を示す。示されるように、ひとたび芝生モジュール１０１がモジュール棚１２５上へと移動してしまえば、芝生モジュール１０１の垂直輸送中に芝生モジュール１０１が移動するのを避けるために車輪１２７が上へと引き戻される。
【００４６】
図１０は、芝生モジュール１０１が全て保管室１０７に配置され、昇降機１１５が垂直方向において中間の位置にある場合を示す。開口部支持台１１３は開口部１１１に固定されている。
【００４７】
図１１および図１２は、芝生モジュール１０１の移動のために下へと押し出す、および引き上げることで芝生モジュール１０１をその土台上に残すことが可能な車輪の組１２７を有する芝生モジュール１０１の１つの実施形態を図示する。これら２つの位置の間で車輪の組１２７を移動させるために、一般的な車輪を保持する梁１２９に油圧ピストン（非表示）が機能するように配置されてもよい。梁１２９は、蝶番式の支持アームの組１３１に吊るされ得る。
【００４８】
また、図１１および図１２は、芝生部位１３５が載る剛直な支持部位１３３を芝生モジュール１０１がどのように含むかを図示する。
【００４９】
芝生モジュール１０１を移動するための、見込みのある方法が様々に存在する。例えば、芝生モジュール１０１を押し進める、あるいは牽引するために、芝生モジュール１０１に電動車両を取り付けてもよい。また、ワイヤによって、好ましくは電動ウィンチによって、芝生モジュール１０１を牽引するために、芝生モジュール１０１にウィンチを接続してもよい。
【００５０】
保管室１０７において、芝生モジュール１０１の移動はまた、ウィンチ装置（非表示）によって行われてもよい。また、芝生モジュールを、モジュール保管棚１１７へと押し出す、あるいは、モジュール保管棚１１７から引き出すためにモジュールに取り付けることが可能な一端を有する、伸縮式ピストンのような油圧ピストンの使用も想定され得る。別の選択肢としては、モジュール保管棚１１７、および昇降機１１５の昇降部１２３のモジュール棚１２５、への電動コンベアベルト（非表示）の配置が挙げられる。
【００５１】
図１３および図１４は、芝生モジュール１０１の別の実施形態を示す。ここでは、芝生モジュール１０１は、上記の車輪の組１２７ではなく、エアクッション要素１３７の組を備える。加圧された空気は、柔軟なエアホース１３９を通じてエアクッション要素１３７へと送られる。従って、使用者は加圧した空気を加えることで芝生モジュール１０１をわずかに上昇させることができ、それにより、任意の水平方向への芝生モジュール１０１の移動が可能となる。
【００５２】
図１５は、芝生モジュール１０１および芝生モジュールを移動するために配置された電動モジュール運搬車１４１を示す。モジュール運搬車１４１は加圧空気供給系１４３を有する。モジュール運搬車１４１は芝生モジュール１０１に機械的に接続している場合に、固定支持台１０５上で芝生モジュール１０１を移動できるように加圧された空気をエアクッション要素１３７に送る。このように、固定支持台１０５上の機能する場所への輸送あるいは保管室１０７での保管のための昇降機１１５（開口部１１１）への輸送のいずれか、という芝生モジュール１０１の望ましい場所への輸送が可能である。
【００５３】
このようなモジュール運搬車１４１はまた、上記の車輪の組１２７を有する芝生モジュール１０１と合わせて使用することも可能である。その結果、運搬車１４１は例えば、車輪１２７を上下に移動するために芝生モジュール１０１へ油圧を提供し得る。その代わりに、運搬車１４１はまた、車輪１２７の上下への動作を可能とする、芝生モジュール１０１との機械的なインターフェースを有し得る。これは例えば、機械的な回転インターフェースであり得る。
【００５４】
図１６は、隣接する芝生モジュール１０１を噛み合わせ機構１４５，１４７により連結する３つの段階を示す。図１６の上段の図は、既に配置された左側の芝生モジュール１０１の方へと車輪１２７により移動する右側の芝生モジュール１０１を示す。左側のモジュールと接するように配置されると、車輪１２７は引き上げられ、その結果、芝生モジュール１０１は降下する。噛み合わせ機構は、噛み合わせ用の傾斜面１４５を有する１つの芝生モジュール１０１上の噛み合わせの構成要素および隣接する芝生モジュール１０１にある受け入れ側の傾斜面１４７を備える。車輪１２７が引き上げられることにより、２つの噛み合った斜面１４５，１４７は、２つの隣接する芝生モジュール１０１が互いに密接し続けるのを確実にする。すなわち、これらが離れるには、芝生モジュール１０１のうちの１つ（図１６中の右側のモジュール）が上昇する必要がある。このような上昇は例えば、車輪１２７を下に押し出す、あるいは上記のエアクッション１３７を作動させることにより達成される。
【図１】
2014520979.tif 000003
【図２】
2014520979.tif 000004
【図３】
2014520979.tif 000005
【図４】
2014520979.tif 000006
【図５】
2014520979.tif 000007
【図６】
2014520979.tif 000008
【図７】
2014520979.tif 000009
【図８】
2014520979.tif 000010
【図９】
2014520979.tif 000011
【図１０】
2014520979.tif 000012
【図１１】
2014520979.tif 000013
【図１２】
2014520979.tif 000014
【図１３】
2014520979.tif 000015
【図１４】
2014520979.tif 000016
【図１５】
2014520979.tif 000017
【図１６】
2014520979.tif 000018
【国際調査報告】
2014520979.tif 000019
2014520979.tif 000020